(57)【特許請求の範囲】
【請求項１】
卓球台（１）の外方に、ボールの落下を防止するためのネット（９）を設けている卓球台（１）において、外周にゴム紐を縫着した網目状のネット（９）は、略コ字形状又は横長略回字形状に形成し、台盤を取り囲むように台盤の裏側に取り付け、前記外周の位置が台盤上面よりやや上方になるよう、台盤（２）の裏面に接するように敷設し、前記台盤（２）裏面の四方の隅部に支持杆（１１）の長手方向に支持杆（１１）を可動可能かつ固定可能に挿通保持する貫通溝（１６）を備えた保持具（５）、又は支持杆（１１）の一端を回動可能に盤面裏側に保持する保持具（５）を設け、その保持具（５）に支持杆（１１）の一端を取り付け、前記支持杆（１１）の他端はネット（９）外周の四方の角部であるネット隅部（１０）に取り付けて台盤（２）裏面及び外周にネット（９）を張設した落球防止ネット付き卓球台。
【発明の詳細な説明】
【０００１】
【発明の属する技術分野】
本発明は、落球防止ネットを取り付けた卓球台に関する。
【０００２】
【従来の技術】
従来の落球防止ネット付き卓球台においては、卓球台の一方のコートを実質的に囲む捕球網を設けた練習用の球捕集装置付卓球台がある（特開昭５２-１３９３６号公報参照）。また、一方の卓球盤の外方に受け網を設けたものも公知である（実開平２-３０３７１）。更に、卓球台盤面上に張ったネットに当ったボールが、中央寄りの盤面上から落下することを防止する落球防止スタンド付卓球台もある（実開平５-２９５６６）
【０００３】
【発明が解決しようとする課題】
従来の落球防止ネットや、スタンドを取り付けた卓球台は主として練習用のものである。また、一方の卓球盤の外方に受け網を設けたものは、両方の卓球盤にも取り付けることも可能であるが、取り付けに手間がかかり、また、製作コストが高くなるため、練習用としては製作されていても、一般家庭で使用するものとしては普及していなかった。
【０００４】
本発明は、一般家庭用に適した小型卓球台に取り付け、使用可能としたものである。
卓球は、他の競技に較べ、費用や広い場所を必要とせず、子供から老人や障害者等、広い層で楽しめる国内外に普及している室内競技である。しかし、日本の普通の家庭の狭い住宅事情を考えると標準サイズの卓球台を使用してゲームを行なうことは殆ど不可能である。そこで、狭いマンションやアパートでも使用でき、更に、野外に携帯、運搬が容易となるよう小型卓球台が普及し、使用されるようになってきた。しかしながら、小型卓球台は狭い場所での使用や、携帯、運搬には便利ではあるが、卓球台の盤面が狭いため、ボールが相手方のコートを外れ、盤外に落下することが頻繁に生ずるという相矛盾したことになっている。特に高齢者や車椅子利用者がゲームをするときは、ボールを頻繁に集めることが大きな負担となっていた。本発明の発明者は、ボールを集める負担を軽減するには、どのようにすればよいかと考えた。そこで、卓球台の外周にネットを張れば良いと誰でも考えつくところである。しかし、実際にアイデアが商品化して普及しないのは、大掛かりな構造になってしまうため、取り付け、取り外しに手間が掛かり、商品化しようとしても、あまりにも高価格になるため実現していなかったのである。本発明が解決しようとする課題は、上記の欠点を解決するためになされたものであり、誰でも容易に取り付け、取扱いが可能で、且つ、低コストで製作できる落球防止ネット付き卓球台を提供することを目的としている。
【０００５】
【課題を解決するための手段】
上記目的を達成するために、卓球台の外方に、ボールの落下を防止するためのネットを設けている卓球台において、外周にゴム紐を縫着した網目状のネットは略コ字形状又は横長略回字形状に形成し、台盤を取り囲むように台盤の裏側に取り付け、前記外周の位置が台盤上面よりやや上方になるよう、台盤の裏面に接するように敷設し、前記台盤裏面の四方の隅部に支持杆の長手方向に支持杆を可動可能かつ固定可能に挿通保持する貫通溝を備えた保持具、又は支持杆を一端を回動可能に盤面裏側に保持する保持具を設け、その保持具に支持杆の一端を取り付け、前記支持杆の他端はネット外周の四方の角部であるネット隅部に取り付けて台盤の裏面及び外周にネットを張設したものである。ネットは略コ字型状とするが、長方型状のネットを組合せたものでもよい。一対の台盤が一体になっている卓球台に取り付ける場合は、横長略回字型状に形成したものでもよい。ネットの材質は、特に問わないが、落下したボールがネットに当って反射しなければよく、シート状でもよい。
【０００６】
上記ネットを取り付ける位置は、台盤裏面の端部に、そして、台盤の外周に配設したネットの幅が均一になるように取り付けるとよい。
【０００７】
また、台盤の裏面にネットを取り付ける方法は、特に問わないが、着脱自在にマジックテープ（登録商標）を利用するとよい。ネットは常に、台盤の裏面に取り付け、且つ、図８に示すように、折り畳んだ状態で収納するものである。着脱自在にするのは、ネットが汚れて洗濯の場合に離脱させる必要があるからである。
【０００８】
また、一対の卓球台に取り付けたネットとネットの隣接部の連接はマジックテープ（登録商標）で接着するか、紐で緊縛するとよい。また、ネットの外周にゴム紐を縫着するとよい。ゴム紐は、ネット端縁のたるみを防止するためのものである。
【０００９】
また、ネットを張設するための支持杆の一方を曲折し、その端部を、袋状のネット隅部差し込むか、紐で緊縛するとよい。更に、張設したネットの外周の位置は、台盤上面よりやや上方になるようにするとよい。高すぎると、ゲーム中にネットにラケットが当ることが多くなり、低いと、ボールが台盤面の角部に当った場合、方向が変化して床面に落下することが多くなるためである。
【００１０】
また、ネットを張設するための支持杆を支える保持具は、台盤裏面の四方の隅部に取り付けるとよい。保持具には、支持杆の断面形状と同じ形状の差込部を設け、その差込部に差し込んで支持杆を保持するとよい。また、保持具の材質は、木製、鉄板、プラスチック等でネジで取り付けるとよい。支持杆の断面形状は、どのような形状でもよいが四辺形や円形にするとよい。
【００１１】
また、保持具に貫通溝を設け、その貫通溝に支持杆を前後に可動可能に挿通し、支持杆を固定可能としたものは、ネット張設する場合は、保持具の貫通溝を通して支持杆を引き出し、ネット隅部に支持杆の一端を取り付け、支持杆の他端は保持具に固定ネジで固定するとよい。ネットを使用しない場合は、保持具の貫通溝を通して支持杆を押し込み、台盤裏側に収納して固定ネジで固定するとよい。
【００１２】
また、支持杆の一端を台盤裏側の隅部に回動可能に取り付けたものは、ネットを張設する場合、支持杆の一端をネット隅部に取り付け、他端は台盤裏側に収納して固定ネジで固定するとよい。
【００１３】
[作用]
本発明の落球防止ネット付き卓球台は、次のように使用する。すなわち、ネットは台盤の裏面に取り付けて折り畳んだ状態で紐等で緊縛しているので、台を立設して紐等を解くと、ネットは、台盤裏面に吊り下がった状態になる。４本の支持杆を保持部に取り付け、他端は、袋状のネット隅部に差し込んでいけば、ネットは台盤外周に張設され使用状態になる。
【００１４】
【発明の実施の形態】
本発明の実施例１を図１~５にもとづき説明する。
１は卓球台を示している。卓球台１は、一対の台盤２と盤上ネット３と脚４で構成している。本実施例は、卓球台１と網目状に形成したネット９と保持具５と支持杆１１で構成している。そして、一対の台盤は台盤連結具１３で連結し、一台の卓球台１としている。台盤２の裏面の隅部にネット９を張設するための支持杆１１を支える保持具５を設けている。保持具５には支持杆１１を差し込んで取り付ける受け部１８を設けている。受け部１８は行き止り溝状を形成している。また、支持杆１１は、断面四角形状の棒状体をしており、その一端を曲折している。更に、台盤２裏面の側部にマジックテープ（登録商標）凸７を貼付している。台盤２裏面に取り付けるネット９は、略コ字型状を形成している。そして、その外側の隅にネット隅部１０を設け、支持杆１１の端部を差し込んで取り付けるように袋状を形成している。一方ネット９の内側の端部はマジックテープ（登録商標）凹８を縫着している。その位置は、台盤２裏面に貼付しているマジックテープ（登録商標）凸７と対称となるようにしている。また、一対のネット９の隣接部１５に、夫々、マジックテープ（登録商標）凸７、マジックテープ（登録商標）凹８を縫着し、両テープ７，８が着脱自在に連接できるようにしている。また、一対のネット９外周の夫々中間部にゴム紐１４を取り付けている。そして、一対の台盤２は、夫々の裏面を２箇の連結具１３で連結し一台の卓球台に構成している。台盤２裏面のマジックテープ（登録商標）凸７とネット９のマジックテープ（登録商標）凹８を接着し、卓球台１の外側にネット９を配設している。次に、支持杆１１の一方を保持具５の差込部６に差し込んで固定している。他方の曲折部分の端部をネット９のネット隅部１０に差し込むと、４本の支持杆１１によってネット９は卓球台１の外周に張設される。
【００１５】
実施例２を図５にもとづいて説明する。
図５に示される実施例では、支持杆１１を保持具５に差し込む溝は、前後に通じている貫通溝１６を形成している。また、保持具５に固定ネジ１２を設けている。支持杆１１の一方を貫通溝１６に通し固定ネジ１２で固定する。他端はネット９のネット隅部１０に取り付け、ネット９全体を張設する。
【００１６】
実施例３を図６にもとづいて説明する。
図６に示される実施例では、台盤２裏面隅に支持杆１１を固定ネジ１２で取り付けている。支持杆１１を台盤２の対角方向に配設し、固定ネジ１２で固定する。支持杆１１の他端をネット隅部１０に取り付け、ネット９全体を張設している。
【００１７】
【発明の効果】
本発明は、以上説明したように構成されるので、以下に記載されるような効果を奏する。
【００１８】
ネットは常時、台盤の裏面に取り付けてあり、４本の支持杆を取り付けるだけでネットを張設することができるので、取り付け、取扱い操作が容易になる。
【００１９】
ネットを張るフレームを取り付ける必要がなく、且つ、簡素な取付具でネットを張設することができるので、製作コストを低減できる。
【図面の簡単な説明】
【００２０】
【図１】卓球台にネットを張設した状態を示す斜視図である。
【図２】卓球台の裏面を示す参考図である。
【図３】一対のネットの平面図である。
【図４】支持杆と保持具の参考図である。
【図５】実施例２の参考図である。
【図６】実施例３の参考図である。
【図７】脚部に支持杆を取り付けた状態を示す参考図である。
【図８】盤の裏面にネットを折り畳んで収納した状態を示す参考図である。
【符号の説明】
【００２１】
１  卓球台
２  台盤
５  保持具
６  差込部
７  マジックテープ（登録商標）凸
８  マジックテープ（登録商標）凹
９  ネット
１０  ネット隅部
１１  支持杆
１６  貫通溝
【図１】
0003947036.tif 000002
【図２】
0003947036.tif 000003
【図３】
0003947036.tif 000004
【図４】
0003947036.tif 000005
【図５】
0003947036.tif 000006
【図６】
0003947036.tif 000007
【図７】
0003947036.tif 000008
【図８】
0003947036.tif 000009